【手続補正書】
【提出日】平成30年3月28日(2018.3.28)
【手続補正１】
【補正対象書類名】特許請求の範囲
【補正対象項目名】全文
【補正方法】変更
【補正の内容】
【特許請求の範囲】
【請求項１】
電荷ポンプと、
入力電圧を検出することと、前記電荷ポンプの前記出力電圧を電圧範囲に維持するために、前記電荷ポンプの利得を変更するために利得制御信号を生成することとを行うように構成された利得制御回路と、
第１の電圧を検出することと、前記電荷ポンプの前記出力電圧が前記電圧範囲に維持されるように、前記電荷ポンプに印加される周波数制御信号の周波数を周波数範囲に維持するために前記検出された第１の電圧に基づいて前記周波数を変更することとを行うように構成された電圧周波数変換器、ここにおいて、前記第１の電圧は、電荷ポンプ入力電流に対応する検出された第１の電流に基づき、前記電圧周波数変換器は、前記検出された第１の電流に基づいて前記周波数制御信号の前記周波数を変更する、と
を備える、回路。
【請求項２】
前記利得制御回路は、前記入力電圧に基づいて前記電荷ポンプ中のキャパシタの選択を制御するための前記電荷ポンプ中のスイッチの選択を制御するためにデジタル信号を生成するように構成されたアナログデジタル変換器である、
請求項１に記載の回路。
【請求項３】
前記電圧周波数変換器は、前記検出された第１の電圧の前記変化に応答してクロック信号を前記周波数制御信号として生成するように構成された電圧制御発振器である、
請求項１に記載の回路。
【請求項４】
前記第１の電流を検出するように構成された電流検出器をさらに備える、
請求項１に記載の回路。
【請求項５】
入力電圧を受信するための入力を含み、前記入力電圧に基づいて出力電圧を与えるための出力を有する電荷ポンプ、前記電荷ポンプは、利得制御信号に応答して選択可能な利得を有し、周波数制御信号に応答して利得を有する、と、
利得制御電圧を検出することと、前記電荷ポンプの前記出力電圧を電圧範囲に維持するために、前記電荷ポンプの前記利得を選択するために前記利得制御信号を生成することとを行うように構成された利得制御回路と、
第１の電圧を検出することと、前記電荷ポンプの前記出力電圧が前記電圧範囲に維持されるように周波数を周波数範囲に維持するために前記周波数制御信号を生成することとを行うように構成された周波数制御回路、ここにおいて、前記第１の電圧は、電荷ポンプ入力電流に対応する検出された第１の電流に基づき、前記周波数制御回路は、前記検出された第１の電流に基づいて前記周波数制御信号の前記周波数を変更する、と
を備える、回路。
【請求項６】
前記電荷ポンプは、前記電荷ポンプの前記入力と前記電荷ポンプの前記出力との間の電荷を結合する複数のキャパシタを含み、前記利得制御信号は、前記電荷を結合するキャパシタの数を構成し、前記利得制御回路は、前記周波数制御信号の前記周波数の増加に基づいて電荷を結合するキャパシタの数を低減することによって前記電荷ポンプの前記利得を変更するようにさらに構成される、
請求項１または５に記載の回路。
【請求項７】
前記利得制御回路は、前記電荷ポンプの前記入力と前記電荷ポンプの前記出力との間の電荷を結合する前記電荷ポンプのキャパシタの数を変更することによって前記電荷ポンプの前記利得を変更するようにさらに構成される、
請求項１または５に記載の回路。
【請求項８】
前記利得制御回路は、前記利得制御電圧に基づいて前記電荷ポンプ中のキャパシタの選択を制御するための前記電荷ポンプ中のスイッチの選択を制御するためにデジタル信号を生成するように構成されたアナログデジタル変換器である、
請求項５に記載の回路。
【請求項９】
前記周波数制御回路は、前記検出された第１の電圧の変化に応答してクロック信号を前記周波数制御信号として生成するように構成された電圧制御発振器である、
請求項５に記載の回路。
【請求項１０】
前記第１の電流を検出するように構成された電流検出器をさらに備え、前記周波数制御回路は、前記検出された第１の電流に基づいて前記周波数制御信号の前記周波数を変更するようにさらに構成される、
請求項５に記載の回路。
【請求項１１】
前記電荷ポンプの前記入力に結合された電流源と、
前記電流源と接地との間に結合された電流シンクと、
前記電流源からの電流を検出するように構成された電流検出器と
をさらに備え、
前記電荷ポンプへの前記入力電流は、前記電流源からの前記電流にほぼ等しい、
請求項１または５に記載の回路。
【請求項１２】
電荷ポンプの利得と、周波数と、出力電圧とを制御するために入力電圧を検出することと、
前記電荷ポンプの前記出力電圧を電圧範囲に維持するために前記電荷ポンプの前記利得を変更することと、
前記電荷ポンプの前記出力電圧が前記電圧範囲に維持されるように、前記電荷ポンプに印加される制御信号の周波数を周波数範囲に維持するために第１の電圧に基づいて前記周波数を変更すること、ここにおいて、前記第１の電圧は、電荷ポンプ入力電流に対応する検出された第１の電流に基づき、前記制御信号の前記周波数は、前記検出された第１の電流に基づいて変更される、と
を備える、方法。
【請求項１３】
前記電荷ポンプの前記利得を変更することは、前記制御信号の前記周波数の増加に基づいて前記電荷ポンプの入力と前記電荷ポンプの出力との間の電荷を結合するキャパシタの数を低減することを含む、または
前記電荷ポンプの入力と前記電荷ポンプの出力との間の電荷を結合するキャパシタの数を変更することを含む、
請求項１２に記載の方法。
【請求項１４】
前記第１の電流を検出することと、
前記第１の電流に基づいて前記第１の電圧を生成することと、それに従って、前記検出された第１の電流に基づいて前記制御信号の前記周波数を変更することと
をさらに備える、請求項１２に記載の方法。
【請求項１５】
前記電荷ポンプの入力に電流を供給することと、
前記電流源から接地に電流シンクをシンクすることと、
前記電流源からの電流を検出することと をさらに備え、前記電荷ポンプへの前記入力電流は、前記電流源からの前記電流にほぼ等しい、
請求項１２に記載の方法。
【手続補正２】
【補正対象書類名】明細書
【補正対象項目名】００７３
【補正方法】変更
【補正の内容】
【００７３】
[0081]上記の説明では、特定の実施形態の態様がどのように実装され得るかの例とともに、本開示の様々な実施形態を示した。上記の例は、上記実施形態のみであると見なされるべきではなく、以下の特許請求の範囲によって定義された特定の実施形態のフレキシビリティと利点とを示すために提示された。上記の開示と以下の特許請求の範囲とに基づいて、特許請求の範囲によって定義された本開示の範囲から逸脱することなく、他の構成、実施形態、実装形態、および等価物が採用され得る。
以下に、本願出願の当初の特許請求の範囲に記載された発明を付記する。
［Ｃ１］
電荷ポンプと、
入力電圧を検出することと、前記電荷ポンプの前記出力電圧を電圧範囲に維持するために、前記電荷ポンプの利得を変更するために利得制御信号を生成することとを行うように構成された利得制御回路と、
前記入力電圧を検出することと、前記電荷ポンプの前記出力電圧が前記電圧範囲に維持されるように、前記電荷ポンプに印加される周波数制御信号の周波数を周波数範囲に維持するために前記検出された入力電圧中に基づいて前記周波数を変更することとを行うように構成された電圧周波数変換器と
を備える、回路。
［Ｃ２］
前記電荷ポンプは、前記電荷ポンプの入力と前記電荷ポンプの出力との間の電荷を結合する複数のキャパシタを含み、前記利得制御信号は、前記電荷を結合するキャパシタの数を構成し、前記利得制御回路は、前記制御信号の前記周波数の増加に基づいて電荷を結合するキャパシタの数を低減することによって前記電荷ポンプの前記利得を変更するようにさらに構成される、
［Ｃ１］に記載の回路。
［Ｃ３］
前記利得制御回路は、前記電荷ポンプの入力と前記電荷ポンプの出力との間の電荷を結合する前記電荷ポンプのキャパシタの数を変更することによって前記電荷ポンプの前記利得を変更するようにさらに構成される、
［Ｃ１］に記載の回路。
［Ｃ４］
前記利得制御回路は、前記入力電圧に基づいて前記電荷ポンプ中のキャパシタの選択を制御するための前記電荷ポンプ中のスイッチの選択を制御するためにデジタル信号を生成するように構成されたアナログデジタル変換器である、
［Ｃ１］に記載の回路。
［Ｃ５］
前記電圧周波数変換器は、前記検出された入力電圧の前記変化に応答してクロック信号を前記周波数制御信号として生成するように構成された電圧制御発振器である、
［Ｃ１］に記載の回路。
［Ｃ６］
前記電荷ポンプ中への入力電流を検出するように構成された電流検出器をさらに備え、前記電圧周波数変換器は、前記検出された入力電流に基づいて前記制御信号の前記周波数を変更するようにさらに構成される、
［Ｃ１］に記載の回路。
［Ｃ７］
前記電荷ポンプの入力に結合された電流源と、
前記電流源と接地との間に結合された電流シンクと、
前記電流源からの電流を検出するように構成された電流検出器と
をさらに備え、
前記電圧周波数変換器は、前記電荷ポンプへの入力電流を、前記電流源からの前記電流にほぼ等しくさせるように、前記検出された入力電流に基づいて前記制御信号の前記周波数を変更するようにさらに構成された、
［Ｃ１］に記載の回路。
［Ｃ８］
入力電圧を受信するための入力を含み、前記入力電圧に基づいて出力電圧を与えるための出力を有する電荷ポンプ、前記電荷ポンプは、利得制御信号に応答して選択可能な利得を有し、周波数制御信号に応答して利得を有する、と、
前記入力電圧を検出することと、前記電荷ポンプの前記出力電圧を電圧範囲に維持するために、前記電荷ポンプの前記利得を選択するために前記利得制御信号を生成することとを行うように構成された利得制御回路と、
前記入力電圧を検出することと、前記電荷ポンプの前記出力電圧が前記電圧範囲に維持されるように前記周波数を周波数範囲に維持するために前記周波数制御信号を生成することとを行うように構成された周波数制御回路と
を備える、回路。
［Ｃ９］
前記電荷ポンプは、前記電荷ポンプの前記入力と前記電荷ポンプの前記出力との間の電荷を結合する複数のキャパシタを含み、前記利得制御信号は、前記電荷を結合するキャパシタの数を構成し、前記利得制御回路は、前記制御信号の前記周波数の増加に基づいて電荷を結合するキャパシタの数を低減することによって前記電荷ポンプの前記利得を変更するようにさらに構成される、
［Ｃ８］に記載の回路。
［Ｃ１０］
前記利得制御回路は、前記電荷ポンプの前記入力と前記電荷ポンプの前記出力との間の電荷を結合する前記電荷ポンプのキャパシタの数を変更することによって前記電荷ポンプの前記利得を変更するようにさらに構成される、
［Ｃ８］に記載の回路。
［Ｃ１１］
前記利得制御回路は、前記入力電圧に基づいて前記電荷ポンプ中のキャパシタの選択を制御するための前記電荷ポンプ中のスイッチの選択を制御するためにデジタル信号を生成するように構成されたアナログデジタル変換器である、
［Ｃ８］に記載の回路。
［Ｃ１２］
前記周波数制御回路は、前記検出された入力電圧の変化に応答してクロック信号を前記周波数制御信号として生成するように構成された電圧制御発振器である、
［Ｃ８］に記載の回路。
［Ｃ１３］
前記電荷ポンプ中への入力電流を検出するように構成された電流検出器をさらに備え、前記周波数制御回路は、前記検出された入力電流に基づいて前記周波数制御信号の前記周波数を変更するようにさらに構成される、
［Ｃ８］に記載の回路。
［Ｃ１４］
前記電荷ポンプの前記入力に結合された電流源と、
前記電流源と接地との間に結合された電流シンクと、
前記電流源からの電流を検出するように構成された電流検出器と
をさらに備え、
前記周波数制御回路は、前記電荷ポンプへの入力電流を、前記電流源からの前記電流にほぼ等しくさせるように、前記検出された入力電流に基づいて前記周波数制御信号の前記周波数を変更するようにさらに構成される、
［Ｃ８］に記載の回路。
［Ｃ１５］
電荷ポンプの利得と、周波数と、出力電圧とを制御するために入力電圧を検出することと、
前記電荷ポンプの前記出力電圧を電圧範囲に維持するために前記電荷ポンプの前記利得を変更することと、
前記電荷ポンプの前記出力電圧が前記電圧範囲に維持されるように、前記電荷ポンプに印加される制御信号の周波数を周波数範囲に維持するために前記検出された入力電圧に基づいて前記周波数を変更することと
を備える、方法。
［Ｃ１６］
前記電荷ポンプの前記利得を変更することは、前記制御信号の前記周波数の増加に基づいて前記電荷ポンプの入力と前記電荷ポンプの出力との間の電荷を結合するキャパシタの数を低減することを含む、
［Ｃ１５］に記載の方法。
［Ｃ１７］
前記電荷ポンプの前記利得を変更することは、前記電荷ポンプの入力と前記電荷ポンプの出力との間の電荷を結合するキャパシタの数を変更することを含む、
［Ｃ１５］に記載の方法。
［Ｃ１８］
前記電荷ポンプ中への入力電流を検出することと、
前記検出された入力電流に基づいて前記制御信号の前記周波数を変更することと
をさらに備える、［Ｃ１５］に記載の方法。
［Ｃ１９］
前記電荷ポンプの入力に電流を供給することと、
前記電流源から接地に電流シンクをシンクすることと、
前記電流源からの電流を検出することと、
前記電荷ポンプへの入力電流を、前記電流源からの前記電流にほぼ等しくさせるように、前記検出された入力電流に基づいて前記制御信号の前記周波数を変更することと
をさらに備える、［Ｃ１５］に記載の方法。